【手続補正書】
【提出日】平成23年6月17日(2011.6.17)
【手続補正１】
【補正対象書類名】明細書
【補正対象項目名】０００８
【補正方法】変更
【補正の内容】
【０００８】
前記従来のジャンプ検索機能を備えた電子辞書装置にも、このようなメイン画面とサブ画面とを有するものがあるが、辞書の情報表示の際とブック等テキスト表示の際での、ジャンプ検索の使い勝手を個別に考慮しておらず、これら２つのタッチパネル式の表示画面を従来は十分生かし切れてなく、ジャンプ検索においてより高い操作性の実現が望まれる。
【手続補正２】
【補正対象書類名】明細書
【補正対象項目名】００１０
【補正方法】変更
【補正の内容】
【００１０】
請求項１に記載の電子辞書装置は、
メイン画面とサブ画面を備え、辞書の説明情報やテキストをメイン画面に表示した際にジャンプ検索モードが設定された場合に、この表示中に含まれる文字が検索対象文字として指定されると、指定された検索対象文字の文字種に応じた種類の辞書を見出し語検索して対応する説明情報を表示するジャンプ検索表示手段を有する電子辞書において、
前記辞書として、文字種毎に、見出し語と当該見出し語の説明情報とを対応付けて集録した複数の通常辞書と、見出し語と当該見出し語の簡約説明情報とを対応付けて集録した簡約辞書と、を記憶し、
前記辞書の説明情報が前記メイン画面に表示された状態で前記ジャンプ検索モードが設定された場合に、ジャンプ検索先の辞書を前記通常辞書に指定するための通常辞書アイコンと前記簡約辞書に指定するための簡約辞書アイコンとを前記メイン画面およびサブ画面に表示させる第１のジャンプアイコン表示制御手段と、
前記テキストが前記メイン画面に表示された状態で前記ジャンプ検索モードが設定された場合に、前記通常辞書アイコンと簡約辞書アイコンとを前記サブ画面にだけ表示させる第２のジャンプアイコン表示制御手段と、
ユーザ操作に応じて前記簡約辞書アイコンが選択された場合、前記指定された検索対象文字に対応する見出し語を指定された検索対象文字の文字種毎の前記簡約辞書の見出し語の中から検索し、当該検索された見出し語に対応する簡約説明情報を表示させる簡約辞書ジャンプ検索表示手段と、を備えたことを特徴としている。
【手続補正３】
【補正対象書類名】明細書
【補正対象項目名】００１６
【補正方法】削除
【補正の内容】
【手続補正４】
【補正対象書類名】特許請求の範囲
【補正対象項目名】全文
【補正方法】変更
【補正の内容】
【特許請求の範囲】
【請求項１】
メイン画面とサブ画面を備え、辞書の説明情報やテキストをメイン画面に表示した際にジャンプ検索モードが設定された場合に、この表示中に含まれる文字が検索対象文字として指定されると、指定された検索対象文字の文字種に応じた種類の辞書を見出し語検索して対応する説明情報を表示するジャンプ検索表示手段を有する電子辞書において、
前記辞書として、文字種毎に、見出し語と当該見出し語の説明情報とを対応付けて集録した複数の通常辞書と、見出し語と当該見出し語の簡約説明情報とを対応付けて集録した簡約辞書と、を記憶し、
前記辞書の説明情報が前記メイン画面に表示された状態で前記ジャンプ検索モードが設定された場合に、ジャンプ検索先の辞書を前記通常辞書に指定するための通常辞書アイコンと前記簡約辞書に指定するための簡約辞書アイコンとを前記メイン画面およびサブ画面に表示させる第１のジャンプアイコン表示制御手段と、
前記テキストが前記メイン画面に表示された状態で前記ジャンプ検索モードが設定された場合に、前記通常辞書アイコンと簡約辞書アイコンとを前記サブ画面にだけ表示させる第２のジャンプアイコン表示制御手段と、
ユーザ操作に応じて前記簡約辞書アイコンが選択された場合、前記指定された検索対象文字に対応する見出し語を指定された検索対象文字の文字種毎の前記簡約辞書の見出し語の中から検索し、当該検索された見出し語に対応する簡約説明情報を表示させる簡約辞書ジャンプ検索表示手段と、
を備えたことを特徴とする電子辞書装置。
【請求項２】
前記簡約辞書ジャンプ検索表示手段は、前記簡約辞書から検索された見出し語に対応する簡約説明情報を、前記メイン画面に前記検索対象文字を表示させたままウインドウ表示させることを特徴とする請求項１に記載の電子辞書装置。
【請求項３】
前記簡約辞書ジャンプ検索表示手段は、前記簡約辞書から検索された見出し語に対応する簡約説明情報を、前記サブ画面に表示されているアイコンと入れ替えて表示させることを特徴とする請求項１に記載の電子辞書装置。
【請求項４】
前記通常辞書アイコンは、ジャンプ検索先の辞書を、前記記憶された複数の通常辞書のうち、前記通常辞書ジャンプ検索表示手段による前回の見出し語検索に伴い使用された通常辞書に指定するための前回辞書アイコンと、ユーザ操作に応じて選択された通常辞書に指定するための辞書選択アイコンとを含み、
前記ジャンプ検索表示手段は、
ユーザ操作に応じて前記前回辞書アイコンが選択された場合、前記指定された検索対象文字に対応する見出し語を指定された文字の文字種に応じた種類の辞書で且つ前記前回の見出し語検索に伴い使用された通常辞書の見出し語の中から検索し、当該検索された見出し語に対応する説明情報を前記メイン画面に表示させる前回辞書ジャンプ検索表示手段と、
ユーザ操作に応じて前記辞書選択アイコンが選択された場合、前記指定された検索対象文字に対応する見出し語を指定された文字の文字種に応じた種類の辞書で且つ前記ユーザ操作に応じて選択された通常辞書の見出し語の中から検索し、当該検索された見出し語に対応する説明情報を前記メイン画面に表示させる選択辞書ジャンプ検索表示手段と、
を有する、
ことを特徴とする請求項１に記載の電子辞書装置。
【請求項５】
装置本体が横置きかまたは立置きかを検出する本体向き検出手段を備え、
前記簡約辞書ジャンプ検索表示手段は、この本体向き検出手段により装置本体が横置きであると検出された場合には、前記簡約辞書から検索された見出し語に対応する簡約説明情報を、前記サブ画面に表示されているアイコンと入れ替えて表示させ、この本体向き検出手段により装置本体が縦置きであると検出された場合には、前記検索された見出し語に対応する簡約説明情報を前記メイン画面に縦置きに応じた形態でウインドウ表示させることを特徴とする請求項１に記載の電子辞書装置。
【請求項６】
前記テキストが前記メイン画面に表示された状態で前記ジャンプ検索モードが設定された場合に、前記簡約辞書アイコンが選択された状態に強制的に設定する簡約辞書強制設定手段を備え、
前記簡約辞書ジャンプ検索表示手段は、前記簡約辞書強制設定手段により前記簡約辞書アイコンが選択された状態に強制的に設定された場合、およびユーザ操作に応じて前記簡約辞書アイコンが選択された場合に、前記指定された検索対象文字に対応する見出し語を前記簡約辞書の見出し語の中から検索し、当該検索された見出し語に対応する簡約説明情報を表示させる、
ことを特徴とする請求項１に記載の電子辞書装置。
【請求項７】
メイン画面とサブ画面を備え、辞書の説明情報やテキストをメイン画面に表示した際にジャンプ検索モードが設定された場合に、この表示中に含まれる文字が検索対象文字として指定されると、指定された検索対象文字の文字種に応じた種類の辞書を見出し語検索して対応する説明情報を表示するジャンプ検索表示手段を有し、前記辞書として、文字種毎に、見出し語と当該見出し語の説明情報とを対応付けて集録した複数の通常辞書と、見出し語と当該見出し語の簡約説明情報とを対応付けて集録した簡約辞書と、を記憶する電子機器のコンピュータを制御するためのプログラムであって、
前記コンピュータを、
前記辞書の説明情報が前記メイン画面に表示された状態で前記ジャンプ検索モードが設定された場合に、ジャンプ検索先の辞書を前記通常辞書に指定するための通常辞書アイコンと前記簡約辞書に指定するための簡約辞書アイコンとを前記メイン画面およびサブ画面に表示させる第１のジャンプアイコン表示制御手段、
前記テキストが前記メイン画面に表示された状態で前記ジャンプ検索モードが設定された場合に、前記通常辞書アイコンと簡約辞書アイコンとを前記サブ画面にだけ表示させる第２のジャンプアイコン表示制御手段、
ユーザ操作に応じて前記簡約辞書アイコンが選択された場合、前記指定された検索対象文字に対応する見出し語を指定された検索対象文字の文字種毎の前記簡約辞書の見出し語の中から検索し、当該検索された見出し語に対応する簡約説明情報を表示させる簡約辞書ジャンプ検索表示手段、
として機能させるためのプログラム。